(57)【要約】【課題】炊飯器の操作部全体に乱雑感があり、操作するボタンや動作認識する表示が一目で判断しにくく、デザイン性においては、すっきり感がない。また、ボタンを動作させる箇所と動作認識する場所が別の場所に配設されているため、制御部と操作部は無駄なスペースを使い、多大化しており、炊飯器全体の大きさも大きくなっているという課題があった。【解決手段】制御部６に炊飯・保温等を制御する制御スイッチ２４を配設し、制御部近傍に操作パネル２１を配設して、制御スイッチ２４の上部には操作パネル２１上にボタン２３を配設し、制御スイッチ２４の近傍にスイッチ動作を確認する発光ダイオード２６を配設させ、ボタン２３により制御スイッチ２４を動作させると、発光ダイオード２６の光が透過する有色窓部２８を発光ダイオード２６上部に配設し、かつ操作パネル２１と一体構成とした。【選択図】図２
2009226000.tif 000002
【特許請求の範囲】
【請求項１】
炊飯器本体と、前記炊飯器本体に着脱自在に収納される鍋と、前記鍋を加熱する加熱手段と、前記炊飯器本体の後方に配設されたヒンジ部と、前記ヒンジ部に配設されたヒンジ軸に軸止され開閉自在に炊飯器本体の上面を覆う蓋体と、前記加熱手段への通電制御を行う制御部とを備え、前記制御部に炊飯および保温の動作を指示する制御スイッチを配設し、前記制御部近傍に操作パネルを配設し、前記制御スイッチの上部の操作パネル上にボタンを配設し、前記制御スイッチの近傍にスイッチ動作を確認する発光ダイオードを配設し、前記ボタンにより前記制御スイッチを動作させ、前記発光ダイオードの光が透過する有色窓部を発光ダイオード上部に配設し、かつ操作パネルと一体構成としたことを特徴とする炊飯器。
【請求項２】
スイッチと操作パネル上の有色ボタンの間に、前記有色ボタンを押した時に、スイッチを動作させる筒状の集光部材を配設し、前記集光部材の中に、発光ダイオードを配設し、前記操作パネルの前記有色ボタンの中に、光を透過させる有色フィルムを配設し、前記有色ボタンの内径より、前記集光部材の径の方を小さくし、前記発光ダイオードの光により前記有色ボタン全体が光るようにしたことを特徴とする請求項１記載の炊飯器。
【発明の詳細な説明】
【技術分野】
【０００１】
本発明は、炊飯器における本体外面に配設される操作部のスイッチと動作表示部の構成に関するものである。
【背景技術】
【０００２】
近年、炊飯器本体の外面に配設される操作部の表示の矢視性及びデザイン性（すっきり性）を高く、また使用しやすい炊飯器が市場導入されている。
【０００３】
特許文献１に、従来の炊飯器が開示されている。この種の炊飯器を図５を用いてその構成について説明する。
【０００４】
図５に示すように、炊飯器本体４１は着脱自在に鍋４２を収納し、底誘導コイル４３により鍋４２を電磁誘導加熱して炊飯・保温を行うようにしている。底誘導コイル４３は、アルミ鋳込みヒータに代えて鍋を加熱するようにしてもよい。鍋温度センサー４４は、鍋４２の温度を伝熱検知し、制御部４５へ信号を送る。制御部４５は鍋温度センサー４４の信号より底誘導コイル４３の加熱量を制御し、鍋４２の温度を炊飯・保温時に制御する。
【０００５】
炊飯器本体４１の上部は、炊飯時本体後部のヒンジ部４６に配設したヒンジ軸４７に軸止され、開閉自在な蓋体４８で覆われている。
【０００６】
前記炊飯器本体４１の前方部には、炊飯器を操作する操作部４９を配設し、操作部４９の下部に、制御部４５を配設している。
【０００７】
前記操作部４９には、炊飯を動作（炊飯・保温）させるためボタン５０が配設されており、ボタン５０には、各ボタンを押す機能名称、例えば炊飯・保温等が印刷されている。前記ボタンの下部の制御部４５には、前記ボタンを押した時に制御部４５へボタンを押したことを伝達するためにスイッチ５１が配設され、前記ボタン５０と前記スイッチ５１の間には、棒状の操作補助部材５２が配設されている。
【０００８】
また、上記スイッチ５１の近傍には、ボタン５０を押し、炊飯器が動作（炊飯・保温等）していることを表示する発光ダイオード５３が配設されており、前記発光ダイオードの上部の操作部には、透明窓５４が配設され発光ダイオードの光が目視確認できるような構成となっており、さらに前記透明窓５４には、メジウム等の光で透明窓５４全体が光るような工夫がなされている。
【特許文献１】特開平９−１０３３５９号公報
【発明の開示】
【発明が解決しようとする課題】
【０００９】
特許文献１に開示された従来の炊飯器は、炊飯器を動作させる（炊飯・保温等をする）ために、操作部４９のボタン５０を押したと同時に、押したことで炊飯器が動作していることを表示する発光ダイオード５３が光り、透明窓５４がぼんやりと光るが、ボタン５０と透明窓５４は別の場所に存在し、動作認識しづらい部分がある。また、操作部４９には、ボタン５０や透明窓５４が数箇所も配設されているため、操作部４９全体に乱雑感があり、操作するボタンや動作認識する表示が一目で判断しにくく、デザイン性においては、すっきり感がない。また、ボタンを動作させる箇所と動作認識する場所が別の場所に配設されているため、制御部４５と操作部４９は無駄なスペースを使い、多大化しており、炊飯器全体の大きさも大きくなっているという課題があった。
【００１０】
本発明は、ボタンと発光ダイオードの位置を同じにして、ボタンを動作させたことを認識しやすくし、また、その構成により制御部と操作部をコンパクト化になるので、炊飯器全体寸法のコンパクト化につなげることを目的とする。
【課題を解決するための手段】
【００１１】
上記課題を解決するため、本発明は以下の構成を有する。
【００１２】
請求項１に記載の発明は、炊飯器本体と、前記炊飯器本体に着脱自在に収納される鍋と、前記鍋を加熱する加熱手段と、前記炊飯器本体の後方に配設されたヒンジ部と、前記ヒンジ部に配設されたヒンジ軸に軸止され開閉自在に炊飯器本体の上面を覆う蓋体と、前記加熱手段への通電制御を行う制御部とを備え、前記制御部に炊飯および保温の動作を指示する制御スイッチを配設し、前記制御部近傍に操作パネルを配設し、前記制御スイッチの上部の操作パネル上にボタンを配設し、前記制御スイッチの近傍にスイッチ動作を確認する発光ダイオードを配設し、前記ボタンにより前記制御スイッチを動作させ、前記発光ダイオードの光が透過する有色窓部を発光ダイオード上部に配設し、かつ操作パネルと一体構成としたことを特徴とする炊飯器にすることにより、炊飯器が動作していることを表示する発光ダイオードの上部の透明窓を有色性の光透過するフィルムを採用し、発光ダイオードが光を発した時は、前記透明窓がぼんやりと光り、消灯時の透明窓は有色で、操作部の全体の色と一致した構成とし、操作部にすっきり感を持たせることができ、デザイン性の向上を図ることができる。
【００１３】
請求項２に記載の発明は、スイッチと操作パネル上の有色ボタンの間に、前記有色ボタンを押した時に、スイッチを動作させる筒状の集光部材を配設し、前記集光部材の中に、発光ダイオードを配設し、前記操作パネルの前記有色ボタンの中に、光を透過させる有色フィルムを配設し、前記有色ボタンの内径より、前記集光部材の径の方を小さくし、前記発光ダイオードの光により前記有色ボタン全体が光るようにしたことを特徴とする請求項１記載の炊飯器にすることにより、ボタンの下部に、スイッチと発光ダイオードを配設し、前記ボタンを有色の光透過フィルムで構成することで、ボタンを押すと発光ダイオードが光を発し、ボタン全体をぼんやりと光らすことができる。消灯時においては、ボタンは有色のボタンで認識することができる。また、ボタンを押した時のボタン自体が光るので、使い勝手も大変良く、少ない部品でボタン全体を光らすことができる構成でもある。また、制御スイッチと発光ダイオードは、ボタンの下部に集中して配設しているため、制御部と操作部をコンパクト化することができるため、炊飯器全体寸法のコンパクト化につなげることができるものである。
【発明の効果】
【００１４】
本発明によれば、炊飯器の操作部がすっきりとしたデザインになり、使い勝手が良く、また、制御部と操作部をコンパクト化することができるため、炊飯器全体寸法のコンパクト化につなげることができるものである。
【発明を実施するための最良の形態】
【００１５】
以下、本発明の実施をするための最良の形態を具体的に示した実施の形態について、図面とともに記載する。
【００１６】
（実施の形態１）
図１を用いて、本発明の実施の形態１の炊飯器を説明する。
【００１７】
図１に示すように、炊飯器本体１は有底筒状の鍋収納部２を配設し、着脱自在に鍋３を収納する。鍋収納部２の底部に配設した底誘導コイル４により鍋３を電磁誘導加熱し、炊
飯・保温を行う。なお、前記底誘導コイル４を用いた電磁誘導加熱方式ではなく、アルミ鋳込みヒータで伝熱による鍋３を加熱する方式もあるが、電磁誘導加熱方式の方が、高火力・高効率で鍋３を加熱することができる。
【００１８】
前記鍋収納部２の底部には、鍋温度センサー５を配設し、鍋３の温度を検知し、制御部６へ信号を送る。制御部６は、鍋温度センサー５の信号により底誘導コイル４の通電量を制御し、鍋３の加熱量を変動させることで鍋３の温度を炊飯・保温時に適した温度に制御をすることができる。
【００１９】
炊飯器本体１の上部は、炊飯器本体１の後方部のヒンジ部７に配設したヒンジ軸８にて軸止した開閉自在な蓋体９で覆われている。
【００２０】
炊飯中や保温中に鍋３内のご飯から発生した蒸気は、蓋体９の鍋３側に付着し、蓋体９が開成した時に結露水が炊飯器本体１の上縁部１０に滴下したり、保温中にご飯の上に滴下してご飯を白化させたりする。そこで、蓋体９に、鍋３の上方空間部を加熱する加熱板１１を配設しており、加熱板１１は蓋体９に配設している蓋誘導コイル１２により電磁誘導加熱され、炊飯・保温中の加熱板１１への結露防止を行う。ここで、蓋誘導コイル１２の代わりに、電気抵抗で発熱する発熱線を加熱板１１に貼り付け、伝熱による加熱方式もあるが、蓋誘導コイル１２による電磁誘導加熱方式のほうがより高効率に加熱板１１を発熱させることができる。
【００２１】
加熱板１１には、炊飯・保温中に発生する蒸気を外部へ放出させるための蒸気口１３を配設しており、蒸気口パッキン１４は、蒸気口１３からの蒸気が蓋体８の内部に流入するのを防止している。また、鍋パッキン１５は加熱板１１と鍋３のフランジ部１６の間から蒸気が外部へ漏れ出すのを防止している。
【００２２】
次に、蓋体９の開閉動作について説明する。蓋体９の先端には蓋係合部１７を配設しており、炊飯器本体１の前方部のフックボタン１８と蓋閉時に係合し、炊飯・保温中に鍋３の圧力により蓋体９が開成するのを防止している。蓋体９はヒンジばね１９によって、常時開成付勢力が与えられており、フックボタン１８を押すと、蓋係合部１７とフックボタン１８の係合が外れ、蓋体９は開成を開始し、前記ヒンジ軸８を中心に回動して開く。
【００２３】
蓋体９の操作部の構成について図２を用いて説明する。図２は炊飯器の上部断面図の一部分である。
【００２４】
蓋体９の上方前方部には、制御部６を収納する凹部２０を配設し、前記凹部２０に制御部６は、ネジ等で機械固定されている。上記凹部２０の上面には、操作パネル２１を載置し、前記凹部２０を覆うように構成している。操作パネル２１は蓋体９に対して、操作パネル２１の裏面につめを配設し、そのつめと蓋体９とを機械固定する固定方式や、操作パネル２１の裏面に両面テープを貼り付け、前記両面テープで蓋体９と操作パネル２１を接着固定する方式等を採用している。
【００２５】
前記制御部６には、炊飯器の動作状態（炊飯・保温）や炊飯残時間・保温経過時間や各炊飯メニューを表示する表示板２２を配設している。前記表示板２２は、ＬＣＤ等で構成している。近年は、このＬＣＤでバックライト方式等の視認性の高いものが採用されている。また、操作パネル２１には、炊飯器を動作させるためのボタン２３が数箇所配設されている。前記ボタン２３は、炊飯・保温・各炊飯メニュー選択等により構成されている。
【００２６】
次に、操作パネル２１に配設されているボタン２３の下部には、制御部６を動作制御するための制御スイッチ２４が配設され、ボタン２３と同様に数箇所制御部６上に配設され
ている。前記ボタン２３と制御スイッチ２４の間には、棒状のスイッチ動作補助部材２５を配設している。ボタン２３を押すと、前記スイッチ動作補助部材２５が上下に移動し、制御スイッチ２４が反応することになる。
【００２７】
前記制御スイッチ２４の近傍には、ボタン２３を押して、炊飯器が動作していることを表示する発光ダイオード２６を配設している。前記発光ダイオード２６の周囲には、発光ダイオード２６が光を発した際に、周囲への光漏れがないように、集光部材２７を配設し、発光ダイオード２６の上部には、光は上部まで射光する有色窓部２８を配設している。
【００２８】
操作パネル２１には、ボタン２３や有色窓部２８が配設されているは、操作パネル２１の状面部は、薄いフィルムで構成されており、ボタン２３や有色窓部２８はフィルムで構成されている。前記フィルムは、例えば、ポリエチレンテレフタレート等の樹脂を薄く加工し、操作パネル２１の母体は透明樹脂で構成し、例えば、アクリル等のアンジニアプラスチックで構成し、前記操作パネル２１の母体と上面を覆うフィルムは一体成形され構成されている。
【００２９】
次に、フィルムで構成され有色窓部２８の構成について、図３を用いて説明する。図３は操作パネル２１のボタン２３の平面図と縦断面図である。
【００３０】
ボタン２３の中央部には、例えば直径１０ｍｍで、ボタン２３の印刷ベースで使用しているインクから約３０〜４０％減らした光透過部３０を配設している。前記光透過部３０の下部には、前記発光ダイオード２６から発した光をぼんやりとさせるために、メジウムの層３１を配設して、更に、メジウムの層の下部には、発光ダイオード２６から発した光が、前記光透過部３０より外に漏れて視認できないような印刷部３２を配設している。印刷部３２は、白色や黒色等の基本３色を採用して、ボタン２３のベース色の変化が発生しないようにしている。
【００３１】
上記のようなフィルムの構成にすることにより、発光ダイオード２６から光が発すると、メジウム３１と光透過部３０を光が透過して、操作パネル２１の上面部は、ぼんやりと光る。発光ダイオード２６が消灯すると、光透過部３０には、ボタン２３のベース色のインクが約６０〜７０％塗られているため、ほぼボタンベース色と同じように見える。よって、発光ダイオード２６が消灯している時には、従来の炊飯器のような透明部がなく、ボタン２３のベース色と同じ光透過部３０が存在しており、操作パネル２１のすっきり感が増し、操作パネル２１のボタンや透明部のレイアウトの乱雑感が減少し、デザイン性の向上を図ることができるものである。なお、実施の形態１では、制御部６及び操作パネル２１は蓋体９に配設した例を記載しているが、前記制御部６及び操作パネル２１の配設する場所は、炊飯器本体１に配設しても本発明の効果を得ることができる。
【００３２】
（実施の形態２）
図４を用いて、本発明の実施の形態２の炊飯器の蓋体の操作部の構成について説明する。炊飯器の蓋体の構成につては、実施の形態１と同構成であるため説明は省略する。
【００３３】
実施の形態２では、操作パネル２１のボタン２３は、実施の形態１と同様にポリエチレンテレフタレート等の樹脂を薄く加工したフィルムで構成している。前記ボタン２３の下部には、制御部６を配設し、前記制御部６には、制御部６を動作制御するための制御スイッチ２４が配設され、ボタン２３と同様に数箇所制御部６上に配設されている。また、前記制御スイッチ２４の近傍には、発光ダイオード２６を配設し、発光ダイオード２６の周囲には、周囲への光漏れがないように、集光部材２７を配設し、前記集光部材２７の下部には、制御スイッチ２４を押す部材２９を配設している。よって、ボタン２３の下部には、制御スイッチ２４と発光ダイオード２６と集光部材２７が集約している。ボタン２３の
フィルムは、実施の形態１と同様に、有色窓部２８が配設されており、前記有色窓部２８には、光透過部３０が配設されている。
【００３４】
前記ボタン２３の光透過部３０の範囲直径は、前記集光部材２７より大きく構成し、ボタン２３を押すと、ボタン２３全体がぼんやりと光る構成となっている。
【００３５】
このような構成にすることで、発光ダイオード２６の消灯時においては、ボタン２３は有色のボタンで認識することができる。また、ボタンを押した時のボタン自体が光るので、使い勝手も大変良く、少ない部品でボタン全体を光らすことができる構成でもある。また、制御スイッチ２４と発光ダイオード２６は、ボタン２３の下部に集中して配設しているため、制御部６と操作パネル２３をコンパクト化することができるため、炊飯器全体寸法のコンパクト化につなげることができるものである。
【産業上の利用可能性】
【００３６】
本発明に係る炊飯器は、家庭用又は業務用の炊飯器として有用である。
【図面の簡単な説明】
【００３７】
【図１】本発明の実施の形態１における炊飯器の縦断面図
【図２】本発明の実施の形態１における炊飯器の上部の一部分断面図
【図３】本発明の実施の形態１におけるボタンの平面図と縦断面図
【図４】本発明の実施の形態２における炊飯器の蓋体の操作部断面図
【図５】従来例における炊飯器の縦断面図
【符号の説明】
【００３８】
１  炊飯器本体
３  鍋
６  制御部
７  ヒンジ部
８  ヒンジ軸
９  蓋体
２１  操作パネル
２３  ボタン
２４  制御スイッチ
２６  発光ダイオード
２８  有色窓部
【図１】
2009226000.tif 000003
【図２】
2009226000.tif 000004
【図３】
2009226000.tif 000005
【図４】
2009226000.tif 000006
【図５】
2009226000.tif 000007